(57)【要約】【課題】  真空保存缶の提供。【解決手段】  真空保存缶の上方に密封蓋が設けられ、蓋に収容孔と漏気孔が設けられ、収容孔内に上スリーブ、連結部品及び伸縮ゴムスリーブが挿入され、缶内の空気が抜き取られて真空状態を呈する時、該ゴムスリーブが真空作用により吸引されて圧縮状となりこれに協動されて上スリーブが上向きに収容孔外に突出し、真空状態が破壊される時、ゴムスリーブが伸縮してもとの位置に回復し、上スリーブが収容孔内に縮入し、これにより保存缶が真空状態かを判定でき、抽気管末端に多重に空気逆流を防止できる逆止め弁装置が設けられ、外部気体が抽気管を通り真空缶内に流入するのを防止し、漏気孔を被覆する部分に日付指示用のダイヤルリングが設けられ、且つダイヤルリングの中央の漏気弁が缶内物品の保存期限表示と缶内漏気機能が提供され、視覚認識と二重漏れ止め機能を具えている。【選択図】        図２
0003109656.tif 000002
【実用新案登録請求の範囲】
【請求項１】
缶体と密封蓋で構成され、密封蓋に抽気管と抽気装置が設けられて缶体内部の空気を抽出し、且つ密封蓋に漏気孔と収容孔が設けられて使用者が漏気孔内の漏気弁を押圧することで缶体の真空状態を解除できる真空保存缶において、
該収容孔内にスリーブと伸縮式のゴムスリーブが設けられ、該ゴムスリーブをその弾性作用を利用し缶体内部空気状態に伴い圧縮或いは伸張させてスリーブと収容孔間の相対位置関係を改変し、これにより使用者に缶体内が真空状態であるか否かを容易に判断させられ、且つ抽気管と缶体間に多重に気体進入を防止する逆止め弁装置が設けられ、空気を排出して缶体内への逆流不能とし、真空状態表示機能と真空状態確保の機能を具えたことを特徴とする、真空保存缶。
【請求項２】
請求項１記載の真空保存缶において、漏気弁に日付表記用のダイヤルリングが設けられ、ダイヤルリングと漏気弁が同一中心を以て設置され、製造工程を簡易化し一体性の美観を呈することを特徴とする、真空保存缶。
【請求項３】
請求項１記載の真空保存缶において、密封蓋の収容孔内に連結部品により上スリーブ、ゴムスリーブ及び底スリーブが設けられ、且つ該ゴムスリーブが上スリーブ、連結部品と底スリーブの間に嵌合され、ゴムスリーブの弾性に缶体内の真空作用が組み合わされて、ゴムスリーブが圧縮或いは伸張状態を呈し、且つ上スリーブを駆動して上昇させて密封蓋の収容孔より突出させるか収容孔内に収容し、使用者に缶体内が真空状態であるか否かを容易に識別させられることを特徴とする、真空保存缶。
【請求項４】
請求項３記載の真空保存缶において、連結部品が上下のネジ部と中央フランジを具え、中央フランジ部分に貫通する空気孔が設けられ、連結部品内部に一体に横向きに連結シートが設けられ、該連結シートの下方に空気柱が凸設され、該空気柱が空気孔と相互に連通することを特徴とする、真空保存缶。
【請求項５】
請求項４記載の真空保存缶において、連結部品内部の連結シートと空気柱の間に嵌め溝が形成され、ゴムスリーブの嵌合位置決めに供されることを特徴とする、真空保存缶。
【請求項６】
請求項３記載の真空保存缶において、上スリーブの上方に凸柱が凸設され、且つ上スリーブ底部に開口があり、上スリーブの筒縁部分に相互に対応する割り溝が設けられ、その開口底環縁部分に貫通溝が設けられ、上スリーブの二側の割り溝が連結部品内部の横向きの連結シートの位置に合わされ並びに連結部品内部に挿入されることで、上スリーブが連結部品と底スリーブの間に収容され、且つ上スリーブの底部の貫通溝がゴムスリーブ底部のリブと相互に嵌挿されて一体とされることを特徴とする、真空保存缶。
【請求項７】
請求項３記載の真空保存缶において、上スリーブの上部に造形設計を有する表示部品が接続されて識別と美観の機能を達成することを特徴とする、真空保存缶。
【請求項８】
請求項１記載の真空保存缶において、逆止め弁装置が出気スリーブ、逆止めゴムスリーブ、中央に凸柱を具えたスリーブシート、及び逆止め弁で構成され、スリーブシートが抽気管下方に組付けられ、スリーブシートの上方に出気スリーブが嵌合され、該出気スリーブの上方に金字塔状で開口を具えた出気ノズルが突出し、それは大気圧力下で閉合状を呈し、スリーブシートの下方開口部分に漏気弁が組付けられ、抽気装置の抽気管内で作用して缶体内部気体を抽出する時、缶内気体は逆止め弁からスリーブシートを通り、抽出される気体圧力により出気スリーブの出気ノズルが押し開かれて排出され、その後、出気ノズルが閉合状態に回復し、外部空気が進入不能とされ、且つ残余の空気が逆止めゴムスリーブと逆止め弁を通り缶体に進入不能とされて、多重に空気逆流防止の機能を達成することを特徴とする、真空保存缶。
【請求項９】
請求項８記載の真空保存缶において、スリーブシートの中央に凸柱が設けられてゴムスリーブが嵌合され、凸柱外環に階層状のフランジが設けられ、且つ凸柱とフランジ底端の環座部分に複数の空気孔が設けられ、別にスリーブシートの外縁に複数のリブが設けられ、抽気管内への嵌合位置決めに供されることを特徴とする、真空保存缶。
【請求項１０】
請求項８記載の真空保存缶において、逆止めゴムスリーブがテーパ状を呈し、スリーブシートの凸柱に嵌合され、且つ外側環縁がスリーブシートのフランジ部分に支持され、空気抽出時に、逆止めゴムスリーブが変形し空隙を発生して空気の流通に供され、空気抽出完成後に、逆止めゴムスリーブが原状に回復し、外部空気が逆止めゴムスリーブを通過してスリーブシートの空気孔を通過不能となり、空気の逆流防止機能が達成されることを特徴とする、真空保存缶。
【請求項１１】
請求項８記載の真空保存缶において、スリーブシート底部の開口部分と逆止め弁の間に濾過綿が組付けられて空気濾過の機能が達成されることを特徴とする、真空保存缶。
【請求項１２】
請求項８記載の真空保存缶において、逆止め弁の表面に複数の上が太く下が細い空気口が配列され、逆止め弁装置が形成され、空気の缶体内への逆流を遮断することを特徴とする、真空保存缶。
【請求項１３】
請求項１記載の真空保存缶において、漏気弁に柱体が接続され、この柱体底部にテーパ部が設けられ、柱体のテーパ部と底縁間にパッキングが接続され、真空状態時に、該柱体が真空作用により押されて上昇し、これによりパッキングが漏気孔の底縁を被覆し、且つ柱体のテーパ部が緊密に漏気孔を封鎖し、漏気弁が下に押されると、柱体が連帯下降し、パッキングが漏気孔より離脱して空気が缶体内に進入して真空状態が解除されることを特徴とする、真空保存缶。
【請求項１４】
請求項１記載の真空保存缶において、密封蓋の抽気管の管口部分に抽気ポンプが組付けられて急速抽気の機能を達成することを特徴とする、真空保存缶。
【考案の詳細な説明】
【技術分野】
【０００１】
本考案は一種の真空保存缶に係り、視覚で真空状態か否かを識別でき、且つ密封蓋の抽気管内に一組の二重逆止め弁装置が設けられて空気の缶内への進入を有効に防止し、これにより視覚識別と多重逆止めの機能を具えた真空保存缶に関する。
【背景技術】
【０００２】
一般家庭或いはレストランでは食品或いは物品の鮮度を保持し保存期限を延長するために真空保存缶に物品が収容され、収容物を真空状態に置いて、収容物が湿気を吸収して変質或いは腐敗するのを防止している。
【０００３】
図１０、１１に示されるように、一般に周知の真空保存缶は、缶体６０、密封蓋６１、及び上蓋７０を具え、真空保存缶内層の密封蓋６１に空気柱６２が設けられ、空気柱６２にバネ６２１、伸縮式ゴムスリーブ６２２、及び保護蓋６２３が嵌合されている。抽気装置６４を利用して抽気管６３を通し缶内の空気を抽出し、缶内を真空状態とした時、該ゴムスリーブ６２２は真空作用により圧縮状となり、反対に真空状態が破壊される時、ゴムスリーブ６２２に対する真空吸引作用が消失し、ゴムスリーブ６２２が原状に回復し並びに上蓋７０の保留孔７１より突出し、使用者が缶内が真空状態であるか否かを識別するのに供される。また外層の上蓋７０に保留孔７２が設けられ、密封蓋６１の漏気孔６５部分に設けられた漏気弁６６を押圧して空気を缶内に進入させて缶内の真空状態を破壊して缶を開放可能とするのに供される。また上蓋７０に日付が表示されたダイヤルリング７３が設けられ、使用者が物品の保存期限を設定し、また明確に認識するのに供され、これにより、缶内物品の食用と保存の安全が確保される。
【考案の開示】
【考案が解決しようとする課題】
【０００４】
前述の周知の真空保存缶は、先に缶体に密封蓋を嵌合し、更に密封蓋の上方に上蓋を嵌合する必要があり、このような複数の蓋の設計は製造が面倒で製造コストをアップさせ、且つ漏気弁は簡単に漏気孔を塞ぐだけであり、漏気の心配があり、抽気装置と抽気管は簡単な逆止め弁設計が設けられているだけであり、確実に外部或いは管内空気の缶体中への進入を防止できず、缶内真空保存の機能に影響を与える。また上蓋表面のダイヤルリングと二つの保留孔の設置は、製造工程を複雑とし、複雑な表面を形成して外観を悪くする。このような数々の欠点は早急に改良される必要がある。
【０００５】
本考案は一種の真空保存缶を提供することを目的とし、それは、一体に抽気管を具えた密封蓋を具え、周知の二つの蓋の余分な設計を排除し、且つ密封蓋に収容孔と漏気孔が設けられ、収容孔内に連結部品を介して上スリーブ、ゴムスリーブ、底スリーブが嵌合され、ゴムスリーブに缶体の真空作用が組み合わされて上スリーブを駆動して上昇させて収容孔より突出させるか或いは収容孔内に下降させて収容し、使用者が上スリーブの位置により缶内が真空か非真空状態かを判別できる。本考案は並びに抽気管末端に一組の逆止め弁装置が設けられ、該逆止め弁装置が多重に気体の缶体内への進入を防止する機能を有して効果的に外部空気と内部残留空気の缶内への進入を遮断し、並びに日付表記用のダイヤルリングと漏気弁に同中心設置が採用されて、製造工程が簡易化され且つ視覚美観の効果を達成し、このような構造の組合せにより、缶内の真空状態を視覚識別でき且つ二重の逆止め機能を具えた真空保存缶とされる。
【課題を解決するための手段】
【０００６】
請求項１の考案は、缶体と密封蓋で構成され、密封蓋に抽気管と抽気装置が設けられて缶体内部の空気を抽出し、且つ密封蓋に漏気孔と収容孔が設けられて使用者が漏気孔内の漏気弁を押圧することで缶体の真空状態を解除できる真空保存缶において、
該収容孔内にスリーブと伸縮式のゴムスリーブが設けられ、該ゴムスリーブをその弾性作用を利用し缶体内部空気状態に伴い圧縮或いは伸張させてスリーブと収容孔間の相対位置関係を改変し、これにより使用者に缶体内が真空状態であるか否かを容易に判断させられ、且つ抽気管と缶体間に多重に気体進入を防止する逆止め弁装置が設けられ、空気を排出して缶体内への逆流不能とし、真空状態表示機能と真空状態確保の機能を具えたことを特徴とする、真空保存缶としている。
請求項２の考案は、請求項１記載の真空保存缶において、漏気弁に日付表記用のダイヤルリングが設けられ、ダイヤルリングと漏気弁が同一中心を以て設置され、製造工程を簡易化し一体性の美観を呈することを特徴とする、真空保存缶としている。
請求項３の考案は、請求項１記載の真空保存缶において、密封蓋の収容孔内に連結部品により上スリーブ、ゴムスリーブ及び底スリーブが設けられ、且つ該ゴムスリーブが上スリーブ、連結部品と底スリーブの間に嵌合され、ゴムスリーブの弾性に缶体内の真空作用が組み合わされて、ゴムスリーブが圧縮或いは伸張状態を呈し、且つ上スリーブを駆動して上昇させて密封蓋の収容孔より突出させるか収容孔内に収容し、使用者に缶体内が真空状態であるか否かを容易に識別させられることを特徴とする、真空保存缶としている。
請求項４の考案は、請求項３記載の真空保存缶において、連結部品が上下のネジ部と中央フランジを具え、中央フランジ部分に貫通する空気孔が設けられ、連結部品内部に一体に横向きに連結シートが設けられ、該連結シートの下方に空気柱が凸設され、該空気柱が空気孔と相互に連通することを特徴とする、真空保存缶としている。
請求項５の考案は、請求項４記載の真空保存缶において、連結部品内部の連結シートと空気柱の間に嵌め溝が形成され、ゴムスリーブの嵌合位置決めに供されることを特徴とする、真空保存缶としている。
請求項６の考案は、請求項３記載の真空保存缶において、上スリーブの上方に凸柱が凸設され、且つ上スリーブ底部に開口があり、上スリーブの筒縁部分に相互に対応する割り溝が設けられ、その開口底環縁部分に貫通溝が設けられ、上スリーブの二側の割り溝が連結部品内部の横向きの連結シートの位置に合わされ並びに連結部品内部に挿入されることで、上スリーブが連結部品と底スリーブの間に収容され、且つ上スリーブの底部の貫通溝がゴムスリーブ底部のリブと相互に嵌挿されて一体とされることを特徴とする、真空保存缶としている。
請求項７の考案は、請求項３記載の真空保存缶において、上スリーブの上部に造形設計を有する表示部品が接続されて識別と美観の機能を達成することを特徴とする、真空保存缶としている。
請求項８の考案は、請求項１記載の真空保存缶において、逆止め弁装置が出気スリーブ、逆止めゴムスリーブ、中央に凸柱を具えたスリーブシート、及び逆止め弁で構成され、スリーブシートが抽気管下方に組付けられ、スリーブシートの上方に出気スリーブが嵌合され、該出気スリーブの上方に金字塔状で開口を具えた出気ノズルが突出し、それは大気圧力下で閉合状を呈し、スリーブシートの下方開口部分に漏気弁が組付けられ、抽気装置の抽気管内で作用して缶体内部気体を抽出する時、缶内気体は逆止め弁からスリーブシートを通り、抽出される気体圧力により出気スリーブの出気ノズルが押し開かれて排出され、その後、出気ノズルが閉合状態に回復し、外部空気が進入不能とされ、且つ残余の空気が逆止めゴムスリーブと逆止め弁を通り缶体に進入不能とされて、多重に空気逆流防止の機能を達成することを特徴とする、真空保存缶としている。
請求項９の考案は、請求項８記載の真空保存缶において、スリーブシートの中央に凸柱が設けられてゴムスリーブが嵌合され、凸柱外環に階層状のフランジが設けられ、且つ凸柱とフランジ底端の環座部分に複数の空気孔が設けられ、別にスリーブシートの外縁に複数のリブが設けられ、抽気管内への嵌合位置決めに供されることを特徴とする、真空保存缶としている。
請求項１０の考案は、請求項８記載の真空保存缶において、逆止めゴムスリーブがテーパ状を呈し、スリーブシートの凸柱に嵌合され、且つ外側環縁がスリーブシートのフランジ部分に支持され、空気抽出時に、逆止めゴムスリーブが変形し空隙を発生して空気の流通に供され、空気抽出完成後に、逆止めゴムスリーブが原状に回復し、外部空気が逆止めゴムスリーブを通過してスリーブシートの空気孔を通過不能となり、空気の逆流防止機能が達成されることを特徴とする、真空保存缶としている。
請求項１１の考案は、請求項８記載の真空保存缶において、スリーブシート底部の開口部分と逆止め弁の間に濾過綿が組付けられて空気濾過の機能が達成されることを特徴とする、真空保存缶としている。
請求項１２の考案は、請求項８記載の真空保存缶において、逆止め弁の表面に複数の上が太く下が細い空気口が配列され、逆止め弁装置が形成され、空気の缶体内への逆流を遮断することを特徴とする、真空保存缶としている。
請求項１３の考案は、請求項１記載の真空保存缶において、漏気弁に柱体が接続され、この柱体底部にテーパ部が設けられ、柱体のテーパ部と底縁間にパッキングが接続され、真空状態時に、該柱体が真空作用により押されて上昇し、これによりパッキングが漏気孔の底縁を被覆し、且つ柱体のテーパ部が緊密に漏気孔を封鎖し、漏気弁が下に押されると、柱体が連帯下降し、パッキングが漏気孔より離脱して空気が缶体内に進入して真空状態が解除されることを特徴とする、真空保存缶としている。
請求項１４の考案は、請求項１記載の真空保存缶において、密封蓋の抽気管の管口部分に抽気ポンプが組付けられて急速抽気の機能を達成することを特徴とする、真空保存缶としている。
【考案の効果】
【０００７】
本考案は従来の技術と比較すると、以下のような効果を達成することができる。
１．多重逆止め効果：本考案の逆止め弁装置は、出気スリーブ、逆止めゴムスリーブ及び逆止め弁の設計により、多重の濾過隔離効果を形成し、有効に外部空気と残留空気の缶内への進入を防止し、多重逆止め機能を提供して缶内真空状態を確保できる。
２．明らかな識別効果を有する：本考案の収容孔内に嵌合された連結部品、上スリーブとゴムスリーブにより、該伸縮式ゴムスリーブが缶内の真空作用に組み合わされて上スリーブを駆動して収容孔より突出させるか或いは収容孔内に収容し、使用者が容易に缶内が真空状態か否かを識別できる。
３．製造を簡易化し製品が美観を有する：本考案によると、漏気弁と日記表記用のダイヤルリングが同中心に設置され、製造が簡易化され、且つ一体の視覚美観効果を達成する。
４．蓋の簡易化：本考案の密封蓋設計により、密封蓋と孔溝及び抽気管が一体成形され、蓋体を簡易化でき、従来の二つの蓋体を使用する欠点を排除し、製造工程を簡易化し製造コストを節約する効果を達成する。
【考案を実施するための最良の形態】
【０００８】
図１から２、及び図３、４を参照されたい。本考案の真空保存缶Ａは、缶体１０、及び密封蓋２０で構成される。該密封蓋２０の内部に収容孔２１と缶体１０に通じる二つの抽気管２３と抽気装置２４が設けられ、該収容孔２１内に連結部品３０とゴムスリーブ３７が設けられ、真空作用により缶体１０内部が真空か或いは非真空状態かを表示でき、且つ該密封蓋２０に漏気弁５０及び日付表記用のダイヤルリング５１が設けられ、食品或いは物品の保存に供される真空保存缶Ａが構成される。本考案の主要な改良点は以下のとおりである。
【０００９】
密封蓋２０の収容孔２１内に上下にネジ部を具えた連結部品３０が螺合され、且つその下方のネジ部３３の孔径は上方のネジ部３２より大きく、該連結部品３０の中央フランジ３１部分に貫通する空気孔３１１が設けられ、連結部品３０の内部に一体に横向きに連結シート３４が設けられ、該連結シート３４の下方に空気柱３５が凸設され、且つ連結シート３４と空気柱３５の間に嵌め溝３４１が形成され、該空気柱３５と空気孔３１１は相互に貫通する。連結部品３０は上方のネジ部３２を以て密封蓋２０の収容孔２１内に螺合され、且つその下方のネジ部３３が底スリーブ３８に螺合され、伸縮式ゴムスリーブ３７が連結部品３０の下方のネジ部３３内と底スリーブ３８の間に嵌合され、且つ該ゴムスリーブ３７が空気柱３５の外部に嵌合され、並びにゴムスリーブ３７の上方の凸端３７１が嵌め溝３４１内に嵌止され、強固な位置決めの機能が達成される。並びに連結部品３０の上方のネジ部３２内に上スリーブ３６が挿入され、該上スリーブ３６の上方に凸柱３６１が凸設され、且つ上スリーブ３６の底部に開口３６２があり、上スリーブ３６の筒縁部分に相互に対応する割り溝３６３が設けられ、開口３６２の底環縁部分に貫通溝３６４が設けられ、上スリーブ３６がその二側の割り溝３６３が連結部品３０内部の横向きの連結シート３４の位置に合わされ並びに連結部品３０内部に挿入されることで、上スリーブ３６が連結部品３０と底スリーブ３８の間に収容され、且つ上スリーブ３６の底部の貫通溝３６４がゴムスリーブ３７底部のリブ３７２と相互に嵌挿されて一体とされる。
【００１０】
図６及び図７に示されるように、密封蓋２０の二つの抽気管２３の末端部分に一組の逆止め弁装置４０が設けられ、該逆止め弁装置４０は、出気スリーブ４１、逆止めゴムスリーブ４２、中央に凸柱４３１を具えたスリーブシート４３、濾過綿４４及び逆止め弁４５で構成される。該出気スリーブ４１の上方に金字塔状で開口４１２を具えた出気ノズル４１１が突出し、それは大気圧力下で閉合状を呈し、出気ノズル４１１が下から上に抽気管２３底部に挿入され、出気スリーブ４１の底端のフランジが抽気管２３の嵌め縁２３１に嵌め置かれ、更にスリーブシート４３が抽気管２３内に挿入され、スリーブシート４３側縁に設けられたリブ４３４が抽気管２３の嵌め溝２３２内に嵌合され、且つ出気スリーブ４１の緊迫位置決めの効果が達成される。また該スリーブシート４３と凸柱４３１の間の環縁部分に階層状のフランジ４３２が形成され、該フランジ４３２の底部の環座部分に複数の空気孔４３３が設けられて気体流通に供され、並びにフランジ４３２部分にテーパ状の逆止めゴムスリーブ４２が挿入され、逆止めゴムスリーブ４２がスリーブシート４３の凸柱４３１に嵌合され、且つ逆止めゴムスリーブ４２の周囲環縁がフランジ４３２上に支持され、別に逆止めゴムスリーブ４２の底部開口部分に濾過綿４４と逆止め弁４５が嵌合され、該逆止め弁４５の表面に複数の上が広く下が狭い空気口４５１が配列され、逆止め弁設計が形成され、これにより有効に空気のその細部の通過が遮断され、空気流出後の再進入が防止される。
【００１１】
また、密封蓋２０に漏気孔２２が設けられ、漏気弁５０が組付けられ、且つ漏気弁５０に日付表記用のダイヤルリング５１が組付けられ、該日付表記用のダイヤルリング５１と漏気弁５０が同じ中心軸を以て一体に設置され、これにより煩瑣な製造省略され、且つ良好な一体視覚効果を有する。そのうち、該漏気弁５０は密封蓋２０の内部に柱体５３を具え、該柱体５３の下方にテーパ部５３１と突出底縁５３２を具え、並びに柱体５３のテーパ部５３１と突出底縁５３２の間にパッキング５２が嵌合されている。
【００１２】
図３、４は本考案の異なる角度の断面図である。一般の通気状態にあって、該ゴムスリーブ３７は弛んだ状態を呈し、上スリーブ３６を押し広げ、上スリーブ３６の凸柱３６１を収容孔２１内部に収縮させている。また、図５及び図６に示されるように、本考案の真空状態の操作方式は、反復して抽気装置２４を押し引きし、缶内の気体を抽気管２３を通して缶体１０より排出して缶内を真空状態とし、且つ該逆止め弁装置４０の設置により、抽気時に、缶内空気は逆止め弁４５、濾過綿４４、スリーブシート４３の空気孔４３３を通り、抽出される空気圧力が逆止めゴムスリーブ４２を押し開いて変形させて周囲の環縁に発生した空隙より流出し、且つその空気の圧力が大気圧力を克服して出気スリーブ４１の出気ノズル４１１を押し開き開口４１２を通過して抽気管２３に進入し並びに排出され、缶内空気の抽出が完成した時、出気ノズル４１１は原状に回復し且つ大気圧力により圧縮されて閉じた状態となり、外部空気が再進入しにくくなる。また、内部の逆止めゴムスリーブ４２の環縁も原状に回復してスリーブシート４３のフランジ４３２に当接し、空気が通過不能となる。また、逆止め弁４５の空気口４５１の逆止め弁設計により、残余の空気圧力が不足して缶内に進入不能で、多重逆止め効果を有して空気の缶内への進入を有効に防止する逆止め弁装置４０設計が形成される。
【００１３】
且つ抽気と同時に、該ゴムスリーブ３７が真空作用により吸着収縮状態を呈し、上スリーブ３６を駆動して上昇させ、上スリーブ３６の凸柱３６１が密封蓋２０の収容孔２１より突出し、使用者が明らかに缶体１０が真空状態を呈することを識別できる。また、柱体５３も真空作用を受けて上昇し、底部のテーパ部５３１とパッキング５２が漏気孔２２の底縁部分を密封し、空気を進入不能とする。漏気弁５０が押圧されて柱体５３が圧力を受けて下降し、テーパ部５３１とパッキング５２が漏気孔２２の底端より離脱すると、空気は柱体５３のテーパ部５３１の上が細く下が太い設計により形成される空隙を通り缶体１０内部に流入し、缶体１０内の真空状態を破壊し、こうして密封蓋２０が開放可能となる。ゴムスリーブ３７は真空作用を受けない時はそれ自身の弾性により原状に回復し、上スリーブ３６を下向きに収縮させ、且つ上スリーブ３６の凸柱３６１を収容孔２１内に縮入させ、これにより使用者は缶内が非真空状態であることを容易に判断できる。また、上スリーブ３６の凸柱３６１に造形設計を有する表示部品３９を接続することで明らかな識別と美観効果を達成できる。
【００１４】
また、本考案の抽気管２３部分に抽気ポンプ装置が組付けられて急速抽気の効果を達成できる。
【００１５】
以上の装置構成により、全体構造が、真空作用を利用してゴムスリーブ３７を吸着緊縮或いは弛緩させることで、上スリーブ３６の凸柱３６１を密封蓋２０の収容孔２１より突出させるか収容孔２１に内縮させて、使用者が容易に缶内が真空状態であるか否かを識別でき、且つ抽気管２３と缶体１０の接続部分に一組の逆止め弁装置４０が設けられ、有効に空気を排出させて進入させず、缶体１０内部の真空状態を確保でき、また漏気弁５０と日付表記用のダイヤルリング５１が一体設計とされて、製造が簡易化されて簡潔な視覚効果を達成するものとされる。本考案は真空状態か否かの識別機能と多重逆止め効果を提供し、また美観を有する真空保存缶Ａを提供し、それは確実に実用性と新規性、進歩性を有している。
【００１６】
総合すると、本考案の真空保存缶は、缶内が真空状態であるか否かを容易に識別でき、且つ多重逆止め弁の逆止め弁装置により、缶内の真空状態を確保でき、また漏気弁と日付表記用のダイヤルリングが一体設計とされて、製造が簡易化されて簡潔な視覚効果を達成し、これにより真空状態か否かの容易な識別機能と美観を有する真空保存缶とされ、全体として産業上の利用性と進歩性を有し、その構造はその出願前に未公開、未使用であり、新規性を有している。なお、以上の実施例は本考案の範囲を限定するものではなく、以上の実施例の説明及び図面に基づきなしうる細部の修飾或いは改変は、いずれも本考案の請求範囲に属するものとする。
【図面の簡単な説明】
【００１７】
【図１】本考案の真空保存缶の外観図である。
【図２】本考案の真空保存缶の立体分解図である。
【図３】本考案の真空保存缶の断面図である。
【図４】本考案の真空保存缶の別角度から観た断面図である。
【図５】本考案の真空保存缶の真空状態にある時の断面図である。
【図６】本考案の抽気装置の断面図である。
【図７】本考案の逆止め弁装置の動作断面図である。
【図８】本考案の逆止め弁装置の動作断面図である。
【図９】周知の真空保存缶の立体分解図である。
【図１０】周知の真空保存缶の抽気動作断面図である。
【図１１】周知の真空保存缶の抽気動作断面図である。
【符号の説明】
【００１８】
Ａ  真空保存缶
１０  缶体
２０  密封蓋
２１  収容孔                  ２２  漏気孔
２３  抽気管                  ２３１  嵌め縁
２３２  嵌め溝                ２４  抽気装置
３０  連結部品
３１  フランジ                ３１１  空気孔
３２  ネジ部                  ３３  ネジ部
３４  連結シート              ３４１  嵌め溝
３５  空気柱                  ３６  上スリーブ
３６１  凸柱                  ３６２  開口
３６３  割り溝                ３６４  貫通溝
３７  ゴムスリーブ            ３７１  凸端
３７２  リブ                  ３８  底スリーブ
３９  表示部品
４０  逆止め弁装置
４１  出気スリーブ            ４１１  出気ノズル
４１２  出気口
４２  逆止めゴムスリーブ
４３  スリーブシート          ４３１  凸柱
４３２  フランジ              ４３３  空気孔
４３４  リブ
４４  濾過綿
４５  逆止め弁                ４５１  空気口
５０  漏気弁
５１  ダイヤルリング          ５２  パッキング
５３  柱体                    ５３１  テーパ部
５３２  底縁
６０  缶体
６１  密封蓋                  ６２  空気柱
６２１  バネ                  ６２２  ゴムスリーブ
６２３  保護蓋                ６３  抽気管
６４  抽気装置                ６５  抽気孔
６６  漏気弁
７０  上蓋
７１  保留孔                  ７２  保留孔
７３  ダイヤルリング
【図１】
0003109656.tif 000003
【図２】
0003109656.tif 000004
【図３】
0003109656.tif 000005
【図４】
0003109656.tif 000006
【図５】
0003109656.tif 000007
【図６】
0003109656.tif 000008
【図７】
0003109656.tif 000009
【図８】
0003109656.tif 000010
【図９】
0003109656.tif 000011
【図１０】
0003109656.tif 000012
【図１１】
0003109656.tif 000013